(57)【要約】  それぞれブラケット台（９）およびランプ（１６）の担体として、アーム（５、７、１３）の形状で継手製支持体を歯医者ユニットに供給することによって、内蔵型アクチュエータを、支持体の調節のためにプログラミングすることができる。さらに、患者（２１）上への表示（１９）用に、患者の症状または機器データの形態で治療に関する所望のデータを視覚的に表示するため、ブラケット台（９）およびランプ（１６）の下側に、光送信器（１７）の形状の信号送信器が取り付けられてもよい。
2018501074.tif 000002
【特許請求の範囲】
【請求項１】
１つ以上のブラケット台およびランプが下部に取り付けられたコンソールを備える歯医者ユニットであって、前記プラケット台（複数可）（９）が、ブラケット台のアーム（７）に回転可能に（８ａ）埋め込まれ（８）、前記プラケット台のアーム（７）が、軸受アーム（５）に部分的に傾動可能に（４ａ）埋め込まれ、かつ前記軸受アーム（５）に部分的に回転可能に（６ａ）埋め込まれ（６）、前記軸受アーム（５）が、前記下部（１）に組み込まれた支持体（２）に回転可能に（３ａ）埋め込まれる（３）、歯医者ユニット。
【請求項２】
前記台（９）および／または前記ランプ（１６）に、患者（２１）上への光信号（１８）の投射のための１つ以上の光送信器（１７）が取り付けられる、請求項１に記載の歯医者ユニット。
【請求項３】
歯医者および治療に関連するパラメータに関する指標を保持する前記信号（１８）が、前記患者の胸部（２１）に配置された例えばナプキン（２０）の上に、色または図柄の助けにより標示される（１９）、請求項１に記載の歯医者ユニット。
【請求項４】
前記信号（１８）に、１つ以上の聴覚信号が供給される、請求項２または３に記載の歯医者ユニット。
【請求項５】
前記ランプ（１６）が、前記支持体（２）に締め付けられた支持体（１３）に対して懸架された（１４）アーム（１５）に回転可能に埋め込まれる（２２）、請求項１および２に記載の歯医者ユニット。
【請求項６】
懸架装置（３、４、６、８、１４、２２）のうちの１つ以上に、前記回転／前記傾動動作（３ａ、４ａ、６ａ、８ａ、１４ａ）を実行するための内蔵型アクチュエータが提供され、前記アクチュエータが、前記プラケット台（９）および／または前記ランプ（１６）の位置の所定の設定に関して制御ユニットにより制御される、請求項１に記載の歯医者ユニット。
【請求項７】
前記ブラケット台（９）および／または前記下部（１）に、表面を構成するガラス板（１０、１１）が提供される、請求項１に記載の歯医者ユニット。
【発明の詳細な説明】
【技術分野】
【０００１】
本発明は、１つ以上のブラケット台およびランプが下部に取り付けられた支持台を備える歯医者ユニットに関する。
【背景技術】
【０００２】
この種のユニットは、あらゆる歯科診療所における従来型の設備の一部である。歯医者および存在する場合にはその助手の作業を可能な限り容易にするために、１つにはブラケット台が作業の邪魔にならないこと、および１つには患者に対する位置付けが容易であることが重要である。
【０００３】
従来型の治療の一部である機器／源からの視覚信号を伴う機器の使用については既知である。この表示は、スクリーンまたはディスプレイの助けにより示される。
【０００４】
しかしながら、これらの既知のマーカーは、歯医者／外科医が、データから情報を受け続けるために、患者からディスプレイへと目を向けなければならないという不利益を生じる。
【０００５】
この種の既知のユニットは、ブラケット台が十分に安定していないこと、それによる位置付けの不安定さ、および患者データを含む情報に口の近位において容易にアクセスできないことなど、１つ以上の不利益を生じる。さらに、ブラケット台の表面およびユニットの下部を洗浄するのが困難であるのと同様に、機器への接続が外れて洗浄が困難になることが多い。
【発明の概要】
【発明が解決しようとする課題】
【０００６】
本発明の目的は、位置付けが容易となり、設備の全ての表面を容易に清潔に保つことが確保されるように、ブラケット台の最善の支持および可動性を確保することである。
【課題を解決するための手段】
【０００７】
これは、本発明により、ブラケット台（複数可）がブラケット台のアームに回転可能に埋め込まれ、ブラケット台のアームが軸受アームに部分的に傾動可能に埋め込まれ、かつ軸受アームに部分的に回転可能に埋め込まれ、軸受アームが下部に組み込まれた支持体に回転可能に埋め込まれるとき、達成される。
【０００８】
このように、ブラケット台は、所望の作業領域内で移動させるのが容易であり、その結果、歯医者の治療中、かつ患者が椅子に移動するとき、および椅子から移動するときに、常に最善の位置にあることになる。
【０００９】
さらに、本発明の目的は、あらゆる他の不利益または不便を生じることなく、視覚信号の送信の不足を是正することである。これは、本発明により、請求項２に記載のように、患者上へ光信号を投射するために、１つ以上の光送信器を台および／またはランプに取り付けるときに達成される。
【００１０】
この驚くべき単純な方法で、歯医者／医者および任意の助手は、患者のどちら側に立っていたとしても、患者上に投射された光信号の形態で表示を直接見ることができ、これにより、治療中に使用状態であり得る様々な接続、機器を確認しながら、患者の症状も監視することができる。
【００１１】
患者の口から目を離す必要なく、様々な機能および症状を継続して見ることができることで、非常にリラックスした作業状態が提供され、患者およびユーザの利益となる。
【００１２】
台／ランプの下側に光送信器を取り付けることによって、信号を患者上に直接投射することができる。
【００１３】
請求項３に記載するように、信号送信器を機器に接続することによって、強度、速度、および設定、ならびに水、空気、吸引などの供給ラインなど、全てのこれらのパラメータを、信号を患者のナプキン上に表示できるという点において、視覚的に制御可能となる。
【００１４】
特許請求の範囲に記載されるように、色または図柄などのマーカーの形態で信号を提供することによって、標示は色の転換、強度の転換、変数の伸長として機能する場合がある。また、請求項４に記載されるように、聴覚信号の送信が、危険な状態または症状の場合に接続されてもよい。
【００１５】
請求項５に記載されるように、支持体に埋め込まれたアームにランプを回転可能に取り付けることによって、ランプが、物体に対して正しい位置に回転し得る。
【００１６】
請求項６に記載されるように、内蔵型アクチュエータを埋め込むことによって、ロボットのような可動性を得ることができ、それによりブラケット台の位置を予め設定することもできるようになる。
【００１７】
これは、歯医者が機器に対して最善のアクセス可能性を有するように、治療とは無関係に台の位置をプログラミングし得るという点において、作業の単純化を可能にする。
【００１８】
最後に、請求項７に述べたように、ブラケット台および／または下部にガラス面を供給することが、ガラスの滑らかな表面に起因してこれらを清潔に保つことが容易であると同時に、反射に起因して見た目が魅力的であるという点において有用である。
【図面の簡単な説明】
【００１９】
図を参照してこれより本発明をより完全に説明する。
【００２０】
【図１】ブラケット台がユーザ位置にあるユニットの側面図である。
【図２】正面から見たユニットを示す図である。
【図３】上から見たユニットを示す図である。
【図４】横臥姿勢の患者を有するユニットの概略図である。
【図５】患者の頭に向かって見た患者および台を示す図である。
【発明を実施するための形態】
【００２１】
本発明によると、図に示すように、本ユニットは、原則として、ブラケット台の可動性、データの視覚化、および最善の衛生の確保に関して改善された、既知のユニットである。
【００２２】
本ユニットは、必要な接続を備える下部１を内含し、下部の上側に水洗ガラスおよびシンクが提供される。
【００２３】
この領域の洗浄を容易にするために、表面を覆い、かつ容易な洗浄、ここでは衛生を確保するガラス板１１が上部に装着される。
【００２４】
この下部１に垂直な軸受台２が取り付けられ、ブラケット台９およびランプ１６の必要な支持体が取り付けられる。
【００２５】
支持体は、寝具３のスタンド２に懸架されたアーム５を備え、その結果、図３に示すように、それがスタンド２に関して揺動／回転３ａすることができる。
【００２６】
このアーム５に、図１に示すように、部分的に傾動４ａすることができ、図３に示すように、内属型寝具６の助けにより回転６ａし得る、追加のアーム７が埋め込まれる４。
【００２７】
最後に、アーム７の助けにより、ブラケット台９が埋め込まれ８、その結果、図３に示すように、台９が、揺動／回転し得る。
【００２８】
このアームシステムは、治療、進入、およびアクセス可能性に関する全ての実質的に必要な位置にそれをもたらし得るという事実と同時に、ブラケット台９の完全な安定化を確保する。
【００２９】
埋め込みに、内蔵型アクチュエータが装着される場合があり、その結果、全ての回転および傾動動作をプログラミングすることができ、位置の必要な保持を確実にすることを確保する。
【００３０】
台９に関して最高の衛生を確保するために、これに、台を覆うガラス面１０が供給される。
【００３１】
これが、細菌の繁殖の危険が限定的であることに起因して、ガラス面が高度な衛生を達成するのに適しているという点で、洗浄をより容易にするだろう。
【００３２】
アームは、主に、中空アルミニウム管、輪郭から製造されるが、当然ながら、ガラス繊維などの他の材料から製造される場合がある。
【００３３】
これらの中空管では、ブラケット台に対する全ての必要な接続が、下部から機器へと隠蔽された状態で担持されるだろう。これにより、それらの機能およびこれらの保護の両方が容易になり、輪郭の滑らかな表面のおかげで洗浄が容易になるだろう。
【００３４】
ブラケット台の懸架装置の助けにより、台のプログラミングされた位置付けが可能であり、その結果、それが、椅子の調節、ここでは治療中の椅子での患者の存在、および椅子への、かつ椅子からの患者のアクセスに関して機能し得る。
【００３５】
同時に、左および右手での歯科に対して使用できるように、ブラケット台を位置付けすることを確保する。
【００３６】
図４では、回転／揺動アーム７が埋め込まれた下部１の概略図が示されている。この回転／揺動アームに、治療に含まれる機器に対する機器の連結器１２と共にブラケット台が取り付けられる。さらに、患者２１の上にランプ１６が取り付けられる。ランプは、スタンド２に取り付けられたアーム１５、１３に懸架される。アームは継手１４および２２に接続され、その結果、ランプ１６は可動性があり１４ａ、ここでは所望の位置に調節可能である。
【００３７】
ブラケット台９およびランプ１６の下側および／またはブラケット台９に、光信号１８を送信し得る１つ以上の光送信器１７が取り付けられる。
【００３８】
各光送信器１７が、治療に重要な信号を送信し得る。
【００３９】
それは、水の接続、空気の接続およびその圧力、掘削速度および歪み、有意なエネルギー吸収、機器の接続、脈拍、血圧などの患者のデータ、および治療中の機器および患者を監視する機能を果たす他の因子であり得る。
【００４０】
これらの光信号１８を視認可能１９にするために、かつ患者の口に可能な限り近接するように、信号１８が、図４および５に示すように、ブラケット台９および／またはランプ１６が患者の上に位置付けられたとき、示された例示的な横臥姿勢の患者２１のそれの胸部上に投射される。
【００４１】
色または図柄の標示１９の形態で患者上に、かつナプキン２０が使用されるときこれの上に、信号１８が投射されるだろう。
【００４２】
信号の送信は、それらが点であり、またはより大きい規模からなる場合があるという点で、多様な形態を有し得る。
【００４３】
さらに、各信号の送信を容易に識別するために多様な方法での標示が可能であるだろう。それは、例えば一定のパラメータを超えた場合に、聴覚信号の送信が与えられ得るのと同様に、掘削速度、歪み、光および／または血圧／脈拍の指標としての、色の転換または光の強度を内含する場合がある。
【図１】
2018501074.tif 000003
【図２】
2018501074.tif 000004
【図３】
2018501074.tif 000005
【図４】
2018501074.tif 000006
【図５】
2018501074.tif 000007
【国際調査報告】
2018501074.tif 000008
2018501074.tif 000009